(57)【要約】      （修正有）【課題】収納時の容器の安定性を保持しつつ、接触面が少なく、収納された内側の容器の取り出しが容易である、重ねて収納できる容器を提供する。【解決手段】大きさが異なる複数の容器１，２，３は、各容器が中央に上方側に凹んだ凸部１Ａａ，２Ａａ，３Ａａを有する底面１Ａ，２Ａ，３Ａと中央より上方に内側に凹んだくびれ１Ｂａ，２Ｂａ，３Ｂａを有する側面１Ｂ，２Ｂ，３Ｂとを有する。各容器を重ねると該凸部が接触することにより各容器の中心位置が合致し各容器の側面同士の接触を回避でき、各容器を重ねた状態において内側の容器の高さが外側の容器の高さよりも高く各容器の側面上部が突出している形状を有する。【選択図】図１
0003164092.tif 000002
【実用新案登録請求の範囲】
【請求項１】
大きさが異なる複数の容器であって、各容器が中央に上方側に凹んだ凸部を有する底面を有し、各容器を重ねると該凸部が接触することにより各容器の中心位置が合致し各容器の側面同士の接触を回避でき、各容器を重ねた状態において内側の容器の高さが外側の容器の高さよりも高く各容器の側面上部が突出している形状を有することを特徴とする、重ねて収納できる容器。
【請求項２】
さらに、中央に上方側に凹んだ凸部を有する台付きの容器を含むことを特徴とする、請求項１に記載の重ねて収納できる容器。
【請求項３】
前記容器がグラスであることを特徴とする、請求項１または２に記載の重ねて収納できる容器。
【考案の詳細な説明】
【技術分野】
【０００１】
本考案は、重ねて収納できる容器に関する。
【背景技術】
【０００２】
従来、重ねて収納できる容器は、側面及び／又は底面が密着することで、安定した状態を保ち、コンパクトに収納できるものであった。
【考案の概要】
【考案が解決しようとする課題】
【０００３】
しかしながら、従来の容器は、側面及び／又は底面が密着することで、内側の容器を取り出しにくいという問題があった。
【０００４】
また、従来の容器は、濡れたままで収納すると、密着しているため乾燥しにくく、カビが発生しやすいという問題もあった。
【課題を解決するための手段】
【０００５】
本考案は、かかる問題を解決すべく、考案者の鋭意研究によって成されたものであり、課題を解決するための手段は以下の通りである。
【０００６】
第一に、大きさが異なる複数の容器であって、各容器が中央に上方側に凹んだ凸部を有する底面を有し、各容器を重ねると該凸部が接触することにより各容器の中心位置が合致し各容器の側面同士の接触を回避でき、各容器を重ねた状態において内側の容器の高さが外側の容器の高さよりも高く各容器の側面上部が突出している形状を有することを特徴とする、重ねて収納できる容器。
第二に、さらに、中央に上方側に凹んだ凸部を有する台付きの容器を含むことを特徴とする、上記第一に記載の重ねて収納できる容器。
第三に、前記容器がグラスであることを特徴とする、上記第一または第二に記載の重ねて収納できる容器。
【０００７】
また、本発明に係る容器の側面は、中央より上方に内側に凹んだくびれを有する形状であっても、直線形状であってもよい。
【考案の効果】
【０００８】
本考案によると、収納時の容器の安定性を保持しつつ、収納された内側の容器の取り出しが容易であり、また、接触面が少ないことから濡れたままの容器であってもカビが発生しにくい。
【図面の簡単な説明】
【０００９】
【図１】本考案に係る第一実施例の各容器の縦断面図である。
【図２】本考案に係る第二実施例の各容器の縦断面図である。
【考案を実施するための形態】
【００１０】
以下に図面を参照しながら、側面が中央より上方に内側に凹んだくびれを有する形状を有する場合について本考案の実施例について説明するが、本考案は、以下の実施例に限定されるものではない。
【実施例１】
【００１１】
第一実施例の容器は、図１に示すように、底面と側面とを有し、大きさが異なる３個の容器、すなわち、第１大容器１、第１中容器２、第１小容器３についてのものである。
【００１２】
各容器は、円筒状で中央より上方に内側に凹んだくびれ１Ｂａ、２Ｂａ、３Ｂａを有する側面１Ｂ、２Ｂ、３Ｂと、中央に上方側に凹んだ凸部１Ａａ、２Ａａ、３Ａａを有する底面１Ａ、２Ａ、３Ａとを有している。
【００１３】
各容器を重ねる際には、第１大容器１に第１中容器２を収納し、該第１中容器２に第１小容器３を収納する。
【００１４】
ここで、各容器の底面の中央に上方側に凹んだ凸部１Ａａ、２Ａａ、３Ａａは、該凸部の形状が各容器の大きさに対応して相違している。
【００１５】
すなわち、第１大容器１の凸部１Ａａの曲率半径が一番大きく、次の第１中容器２の凸部２Ａａの形状は第１大容器１の凸部１Ａａの形状に合致するように形成されており、第１小容器３の凸部３Ａａの形状は第１中容器２の凸部２Ａａの形状に合致するように形成されている。
【００１６】
そのため、図１に示したように、重ねて収納された、大、中、小の容器１〜３は、重ねた容器間で側面同士が接することなく、底面の中央部分だけで接触することで、それぞれ他の容器の絶妙に湾曲した底面の中央の凸部１Ａａ、２Ａａ、３Ａａと合致して、かつ、各側面１Ｂ、２Ｂ、３Ｂが接触することなく、安定して収納された状態を保つことができる。
【００１７】
さらに、大、中、小の容器１〜３は、重ねた状態において内側の容器の高さがそれぞれ外側の容器の高さよりも高いため、外側の容器１よりも内側の容器２の側面上部２Ｂｂが突出し、また、外側の容器２よりも内側の容器３の側面上部３Ｂｂが突出しており、内側の容器を容易に取り出すことができる。
【実施例２】
【００１８】
第二実施例の容器は、図２に示すように、底面と側面とを有し、大きさが異なる４個の容器、すなわち、第２大容器４、第２中容器５、第２小容器６、台付きの容器７についてのものである。
【００１９】
各容器は、円筒状で中央より上方に内側に凹んだくびれ４Ｂａ、５Ｂａ、６Ｂａ、７Ｂａを有する側面４Ｂ、５Ｂ、６Ｂ、７Ｂと、中央に上方側に凹んだ凸部４Ａａ、５Ａａ、６Ａａ、７Ａａを有する底面４Ａ、５Ａ、６Ａまたは台７Ａとを有している。
【００２０】
各容器を重ねる際には、第２大容器４に第２中容器５を収納し、該第２中容器５に第２小容器６を収納し、該第２小容器６に台付きの容器７を収納する。
【００２１】
ここで、各容器の底面の中央に上方側に凹んだ凸部４Ａａ、５Ａａ、６Ａａまたは台の中央に上方側に凹んだ凸部７Ａａは、該凸部の形状が各容器の大きさに対応して相違している。
【００２２】
すなわち、第２大容器４の凸部４Ａａの曲率半径が一番大きく、次の第２中容器５の凸部５Ａａの形状は第２大容器４の凸部４Ａａの形状に合致するように形成されており、第２小容器６の凸部６Ａａの形状は第２中容器５の凸部５Ａａの形状に合致するように形成されおり、台付きの容器の凸部７Ａａの形状は第２小容器６の凸部６Ａａの形状に合致するように形成されている。
【００２３】
そのため、図２に示したように、重ねて収納された、大、中、小の容器４〜６および台付きの容器７は、重ねた容器間で側面同士が接することなく、底面の中央部分だけで接触することで、それぞれ他の容器の絶妙に湾曲した底面の中央の凸部４Ａａ、５Ａａ、６Ａａ、台の中央の凸部７Ａａと合致して、かつ、各側面４Ｂ、５Ｂ、６Ｂ、７Ｂが接触することなく、安定して収納された状態を保つことができる。
【００２４】
さらに、大、中、小の容器４〜６および台付きの容器７は、重ねた状態において内側の容器の高さがそれぞれ外側の容器の高さよりも高いため、外側の容器４よりも内側の容器５の側面上部５Ｂｂが突出し、また、外側の容器５よりも内側の容器６の側面上部６Ｂｂが突出し、さらに、外側の容器６よりも内側の容器７の側面上部７Ｂｂが突出しており、内側の容器を容易に取り出すことができる。
【符号の説明】
【００２５】
１  第１大容器
２  第１中容器
３  第１小容器
４  第２大容器
５  第２中容器
６  第２小容器
７  台付きの容器
【図１】
0003164092.tif 000003
【図２】
0003164092.tif 000004